Podtech/llm-jp-corpus-v4-ja_patent huggingface dataset:
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
以下を含む、水性ラテックス接着剤組成物：
（１）  以下のモノマー群から形成される単一のラテックスポリマーまたはラテックスポリマーのブレンドであるラテックスポリマー、
（ａ）  共役脂肪族ジエン、
（ｂ）  ビニル芳香族モノマー、
（ｃ）  ビニルピリジンモノマー、および
（ｄ）  反応性Ｎ−メチロール−またはＮ−アルコキシ−官能基を含む窒素含有モノマー、
ここで、該ジエンモノマー（ａ）はラテックスポリマー中で重量基準で一番多いモノマーであり、該ビニルピリジンモノマー（ｃ）と該窒素含有モノマー（ｄ）との合計量はラテックスポリマーの２０重量％以下である。
【請求項２】
樹脂成分をさらに含む、請求項１記載の水性ラテックス接着剤組成物。
【請求項３】
該ラテックスポリマーが単一のラテックスポリマーである、請求項１または２記載の水性ラテックス接着剤組成物。
【請求項４】
該ジエンモノマー（ａ）が、５５重量％以上のラテックスポリマー中に存在し、該ビニル芳香族モノマー（ｂ）が１０から４０重量％の量でラテックスポリマー中に存在する、請求項１から３のいずれか１項記載の水性ラテックス接着剤組成物。
【請求項５】
該ビニルピリジンモノマー（ｃ）が４から１５重量％の量でラテックスポリマー中に存在し、該窒素含有モノマー（ｄ）が０．１から３．５重量％の量でラテックスポリマー中に存在する、請求項１から４のいずれか１項記載の水性ラテックス接着剤組成物。
【請求項６】
該ジエンモノマー（ａ）がブタジエンであり、該ビニル芳香族モノマー（ｂ）がスチレンであり、該窒素含有モノマー（ｄ）が、Ｎ−メチロールアクリルアミド、Ｎ−メチロールメタアクリルアミド、Ｎ（Ｃ１−６アルコキシメチル）アクリルアミド、およびＮ（Ｃ１−６アルコキシメチル）メタアクリルアミドから選択される、請求項１から５のいずれか１項記載の水性ラテックス接着剤組成物。
【請求項７】
該ビニルピリジンモノマー（ｃ）と該窒素含有モノマー（ｄ）が、合計で１１重量％以下の量でラテックスポリマー中に存在する、請求項１から６のいずれか１項記載の水性ラテックス接着剤組成物。
【請求項８】
該ラテックスポリマーが、酸モノマー、および反応性Ｎ−メチロール−またはＮ−アルコキシ−官能基を含まない窒素含有モノマーから選ばれるモノマーの少なくとも１つをさらに含むモノマー群から形成される、請求項１から７のいずれか１項記載の水性ラテックス接着剤組成物。
【請求項９】
請求項１から８のいずれか１項記載の接着剤組成物で、ゴム強化材とゴム製品を接着することを含む、強化されたゴム物品の製造方法。
【請求項１０】
該強化されたゴム物品が、ベルトまたはタイヤである、請求項９記載の方法。
【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
式（Ｉ）の化合物：
【化１】
2013512242.tif 000001
の結晶形のコリン塩の調製方法であって、
（ａ）イソプロパノールおよび水を含む溶媒中で、式（Ｉ）の化合物のコリン塩の第１混合物を形成するステップ、
（ｂ）ステップ（ａ）の第１混合物を貧溶媒と接触させて、第２混合物を提供するステップ、および
（ｃ）ステップ（ｂ）の前記第２混合物から式（Ｉ）の化合物のコリン塩を結晶化させて、結晶形の式（Ｉ）の化合物を提供するステップ、を含む方法。
【請求項２】
ステップ（ａ）の第１混合物が、遊離酸形態の式（Ｉ）の化合物を水酸化コリンと合わせることによって調製される、請求項１に記載の方法。
【請求項３】
ステップ（ａ）が、本質的にはイソプロパノールおよび水からなる溶媒を用いて実施される、請求項１または２に記載の方法。
【請求項４】
ステップ（ａ）で形成された第１混合物が、ステップ（ｂ）を実施する前に、仕上げ濾過される、請求項１から３までのいずれか１項に記載の方法。
【請求項５】
ステップ（ａ）で形成された第１混合物が、仕上げ濾過の前に、活性炭で処理される、請求項４に記載の方法。
【請求項６】
ステップ（ａ）で形成された第１混合物に、ステップ（ｂ）を実施する前に、播種粒子を播種する、請求項１から５までのいずれか１項に記載の方法。
【請求項７】
播種粒子が、約０．１μｍから約１５０μｍまでの直径を有する、請求項６に記載の方法。
【請求項８】
播種粒子が、約２５μｍから約１００μｍまでの直径を有する、請求項７に記載の方法。
【請求項９】
播種粒子が、約０．５μｍから約５μｍまでの直径を有する、請求項７に記載の方法。
【請求項１０】
ステップ（ｃ）で使用される貧溶媒が、アセトン、イソプロパノールおよびヘプタンから選択される、請求項１から９までのいずれか１項に記載の方法。
【請求項１１】
ステップ（ｃ）で使用される貧溶媒が、アセトンである、請求項１から１０までのいずれか１項に記載の方法。
【請求項１２】
［４，６−ビス（ジメチルアミノ）−２−（４−｛［４−（トリフルオロメチル）ベンゾイル］アミノ｝ベンジル）ピリミジン−５−イル］酢酸の結晶性コリン塩であって、２−（４−（ジメチルアミノ）−６−ヒドロキシ−２−４（トリフルオロメチル）ベンズアミド）ピリミジン−５−イル）酢酸（化合物Ａ）およびＮ−（４−（（５−（シアノメチル）−４，６−ビス（ジメチルアミノ）ピリミジン−２−イル）メチル）フェニル）−４−（トリフルオロメチル）ベンズアミド（化合物Ｂ）を、化合物Ａ、化合物Ｂおよび［４，６−ビス（ジメチルアミノ）−２−（４−｛［４−（トリフルオロメチル）ベンゾイル］アミノ｝ベンジル）ピリミジン−５−イル］酢酸の総質量に対して約０．３０質量％未満含む、結晶性コリン塩。
【請求項１３】
化合物Ａ、化合物Ｂおよび［４，６−ビス（ジメチルアミノ）−２−（４−｛［４−（トリフルオロメチル）ベンゾイル］アミノ｝ベンジル）ピリミジン−５−イル］酢酸の総質量に対して約０．１０質量％未満の化合物Ａおよび化合物Ｂを含む、請求項１２に記載の結晶性コリン塩。
【請求項１４】
請求項１２または１３に記載の［４，６−ビス（ジメチルアミノ）−２−（４−｛［４−（トリフルオロメチル）ベンゾイル］アミノ｝ベンジル）ピリミジン−５−イル］酢酸の結晶性コリン塩を含む医薬組成物。
【請求項１５】
ＣＲＴＨ２活性と関連する疾患を治療するための医薬組成物であって、請求項１２または１３に記載の化合物を含む、医薬組成物。
【手続補正書】
【提出日】平成25年11月25日(2013.11.25)
【手続補正１】
【補正対象書類名】特許請求の範囲
【補正対象項目名】全文
【補正方法】変更
【補正の内容】
【特許請求の範囲】
【請求項１】
薬剤として用いられる薬学的組成物であって、
該組成物は、１つまたはそれより多くの核酸構築物と、薬学的に受容可能なキャリアとを含み、
該構築物は、１つまたはそれより多くの腸内細菌由来の１つまたはそれより多くのペプチドをコードする１つまたはそれより多くの弱毒化または改変された生きたポックスウイルス；および
哺乳動物の分泌シグナル配列と翻訳調節配列とのうちの少なくとも１つを含み、
前記組成物は、被験体において、１つまたはそれより多くの該腸内細菌に対する免疫応答を誘導することが可能である、
組成物。
【請求項２】
１つまたはそれより多くの腸内細菌に関連する１つまたはそれより多くの前記ペプチドが、Ｙｅｒｓｉｎｉａ  ｓｐｐ由来の１つまたはそれより多くのペプチドを含む、請求項１に記載の組成物。
【請求項３】
１つまたはそれより多くの前記ポックスウイルスが、改変されたワクシニアウイルスアンカラ（ＭＶＡ）、改変されたワクシニアコペンハーゲン株、ＮＹＶＡＣ、ＬＣ１６ｍ８、ＣＶＩ−７８、またはそれらの組み合わせからなる群から選択される、請求項１に記載の組成物。
【請求項４】
前記ポックスウイルスのうちの１つが、改変されたワクシニアウイルスアンカラ（ＭＶＡ）である、請求項１に記載の組成物。
【請求項５】
前記Ｙｅｒｓｉｎｉａ  ｓｐｐがＹｅｒｓｉｎｉａ  ｐｅｓｔｉｓである、請求項２に記載の組成物。
【請求項６】
前記翻訳調節配列が、１つまたはそれより多くの内部リボソーム進入部位（ＩＲＥＳ）を含む、請求項１に記載の組成物。
【請求項７】
前記翻訳調節配列が、１つまたはそれより多くの非翻訳領域（ＵＴＲ）を含む、請求項１に記載の組成物。
【請求項８】
Ｙｅｒｓｉｎｉａ  ｓｐｐ由来の１つまたはそれより多くの前記ペプチドが、Ｙｅｒｓｉｎｉａ  ｐｅｓｔｉｓ由来の１つまたはそれより多くのペプチドを含み、かつ、莢膜タンパク質（Ｆ１）、低カルシウム応答（Ｖ）抗原、該低カルシウム応答Ｖ抗原の短縮型バージョン、Ｆ１およびＶのうちの１つもしくはそれより多くからの変異した形態、またはそれらの組み合わせの、全てもしくは一部を含む、請求項５に記載の組成物。
【請求項９】
Ｙｅｒｓｉｎｉａ  ｐｅｓｔｉｓ由来の１つまたはそれより多くの前記ペプチドが、Ｃ末端の短縮を有する１つまたはそれより多くの低カルシウム応答（Ｖ）抗原（ＬｃｒＶ）を含む、請求項５に記載の組成物。
【請求項１０】
前記Ｃ末端の短縮により、免疫抑制性配列が除かれる、請求項９に記載の組成物。
【請求項１１】
Ｙｅｒｓｉｎｉａ  ｐｅｓｔｉｓ由来の１つまたはそれより多くの前記ペプチドが、１つまたはそれより多くの低カルシウム応答（Ｖ）抗原（ＬｃｒＶ）あるいは１つまたはそれより多くのＶ３０７ペプチドを含み、該低カルシウム応答（Ｖ）抗原（ＬｃｒＶ）が、ＬｃｒＶの１６３個までの連続した残基の欠失、内部欠失、９０個までの連続した残基の内部欠失、ＬｃｒＶタンパク質のアミノ酸２４０〜３２５に広がる内部欠失、ＬｃｒＶの５０個までの連続した残基のＣ末端の欠失、長さが少なくとも２７５残基のＬｃｒＶタンパク質、およびＬｃｒＶの残基２７１〜３００の欠失を含む、請求項５に記載の組成物。
【請求項１２】
薬剤として用いられる薬学的組成物であって、
該組成物は、１つまたはそれより多くのペプチドをコードする１つまたはそれより多くの弱毒化または改変された生きたワクシニアウイルスの１つまたはそれより多くの核酸構築物を含み、
該構築物は、Ｙｅｒｓｉｎｉａ  ｐｅｓｔｉｓ由来のＶ３０７；ならびに
哺乳動物の分泌シグナル配列および翻訳調節領域のうちの１つまたはそれより多くを含み、
ここで、１つまたはそれより多くの該構築物は、被験体において、Ｙｅｒｓｉｎｉａ  ｐｅｓｔｉｓに対する免疫応答を誘導することが可能である、
ワクチン組成物。
【請求項１３】
請求項１に記載の組成物を被験体に投与することにより腸内細菌に対する免疫応答を誘導することを含む、
請求項１に記載の組成物の使用法。
【請求項１４】
１つまたはそれより多くの弱毒化または改変された前記ポックスウイルスが、改変されたワクシニアウイルスアンカラ（ＭＶＡ）、改変されたワクシニアコペンハーゲン株、ＮＹＶＡＣ、ＬＣ１６ｍ８、ＣＶＩ−７８、またはそれらの組み合わせを含む、請求項１３に記載の使用法。
【請求項１５】
１つまたはそれより多くの弱毒化または改変された前記ポックスウイルスがＹｅｒｓｉｎｉａ  ｐｅｓｔｉｓを含む、請求項１４に記載の使用法。
【請求項１６】
改変されたワクシニアウイルスアンカラ（ＭＶＡ）核酸構築物であって、
該構築物は、以下：
（ｉ）１つまたはそれより多くの検出可能な配列（複数可）またはマーカー（複数可）をコードする核酸配列に、作動可能に連結されるウイルスの翻訳調節配列、あるいは
（ｉｉ）発現構築物に作動可能に連結される哺乳動物またはウイルスの分泌シグナル配列（ここで、該発現構築物の発現は、１つまたはそれより多くの腸内細菌由来の１つまたはそれより多くのペプチドおよび１つまたはそれより多くの該マーカーの翻訳を引き起こすことが可能である）、ならびに
（ｉｉｉ）１つまたはそれより多くの腸内細菌関連ペプチド由来の１つまたはそれより多くの核酸配列、あるいは１つまたはそれより多くの腸内細菌関連ペプチドをコードする１つまたはそれより多くの核酸配列が組み込まれ得る核酸配列
に作動可能に連結される改変されたワクシニアアンカラ（ＭＶＡ）核酸構築物のプロモーターを含む、
構築物。
【請求項１７】
Ｙｅｒｓｉｎｉａ  ｐｅｓｔｉｓ由来の１つまたはそれより多くの前記ペプチドが、莢膜タンパク質（Ｆ１）、低カルシウム応答（Ｖ）抗原、該低カルシウム応答Ｖ抗原の短縮型バージョン、またはそれらの組み合わせの、全てまたはフラグメントを含む、請求項１６に記載の構築物。
【請求項１８】
前記哺乳動物の分泌シグナル配列が、組織プラスミノゲン活性化因子（ｔＰＡ）リーダー配列、補因子リーダー配列、プレプロインスリンリーダー配列、インベルターゼリーダー配列、免疫グロブリンＡリーダー配列、オボアルブミンリーダー配列、およびＰ−グロビンリーダー配列、または他のプロリーダー配列、またはそれらの組み合わせを含む、請求項１６に記載の構築物。
【請求項１９】
請求項１に記載の少なくとも１つの組成物または請求項１６に記載の少なくとも１つの構築物；ならびに
少なくとも１つの容器を含む、
キット。
【請求項２０】
前記ペプチドのうちの少なくとも１つがＶ３０７である、請求項１９に記載のキット。
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
R0がSEQ ID NO:4を含み、かつX1が
2013512279.tif 000001
または少なくとも15アミノ酸の連続断片を含む、式X1-R0の化合物。
【請求項２】
R0がSEQ ID NO:4を含み、かつX2が、SEGSAE、SEGSA、SEGS、SEG、SE、S、L、または-COOHを含む、式R0-X2の化合物。
【請求項３】
R0がSEQ ID NO:4を含み、
X1が
2013512279.tif 000002
の少なくとも15連続のアミノ酸を含み、かつ
X2が、SEGSAE、SEGSA、SEGS、SEG、SE、S、L、または-COOHを含む、
式X1-R0-X2の化合物。
【請求項４】
PEG化されている、請求項1、2、または3記載の化合物。
【請求項５】
CD21に結合しない、請求項1、2、3または4記載の化合物。
【請求項６】
IgEに対する高親和性結合部位を含む、請求項1〜5のいずれか一項記載の化合物。
【請求項７】
高親和性結合部位が、SEQ ID NO:4のアミノ酸置換D107Eによって形成される、請求項1〜6のいずれか一項記載の化合物。
【請求項８】
請求項1〜7のいずれか一項記載の化合物の有効量と、薬学的に許容される担体とを含む、IgEを隔離するための組成物。
【請求項９】
請求項1〜7のいずれか一項記載の化合物の有効量と、薬学的に許容される担体とを含む、アレルゲンに対する対象の免疫応答を低下させるための薬学的組成物。
【請求項１０】
アレルゲンに対する免疫応答を有するリスクを有する対象に予防的に投与されるためのものである、請求項9記載の薬学的組成物。
【請求項１１】
アレルゲンに対する曝露後に対象に投与されるためのものである、請求項9記載の薬学的組成物。
【請求項１２】
ステロイド治療と組み合わせて使用される、請求項9記載の薬学的組成物。
【請求項１３】
アレルギー注射と組み合わせて使用される、請求項9記載の薬学的組成物。
【請求項１４】
アレルゲンが、食物アレルゲン、花粉、植物アレルゲン、チリダニ、動物の鱗屑、昆虫の針、真菌、胞子、カビ、ラテックス、または薬物である、請求項9記載の薬学的組成物。
【請求項１５】
対象がアレルゲンに対する免疫応答を有する、請求項9記載の薬学的組成物。
【請求項１６】
請求項1〜7のいずれか一項記載の化合物の有効量と、薬学的に許容される担体とを含む、対象におけるIgE媒介性疾患を処置するための薬学的組成物。
【請求項１７】
IgE媒介性疾患が、アレルギー、アナフィラキシー、喘息、湿疹、および鼻炎からなる群より選択される、請求項16記載の薬学的組成物。
【請求項１８】
請求項1〜7のいずれか一項記載の化合物の有効量と、薬学的に許容される担体とを含む、アレルゲンに対する慢性的な免疫応答の発生を低下させるための薬学的組成物。
【請求項１９】
請求項1〜7のいずれか一項記載の化合物の有効量と、薬学的に許容される担体とを含む、アレルギー治療またはアナフィラキシー治療によって処置される対象においてアレルギー治療またはアナフィラキシー治療の用量を低下させるための薬学的組成物
【手続補正２】
【補正対象書類名】明細書
【補正対象項目名】００４２
【補正方法】変更
【補正の内容】
【００４２】
本明細書および添付の特許請求の範囲において用いられる、単数形「1つの（a）」、「1つの（an）」、および「その（the）」は、本文が明らかにそれ以外であることを明記している場合を除き、複数形を含む。このように、例えば、「方法」という言及は、本明細書において記述される、および／または本開示を読むことによって当業者に明らかとなるであろう等の1つまたは複数の方法、および／またはそのタイプの段階を含む。
[本発明1001]
R0がSEQ ID NO:4を含み、かつX1が
2013512279.tif 000003
または少なくとも15ヌクレオチドの連続断片を含む、式X1-R0の化合物。
[本発明1002]
R0がSEQ ID NO:4を含み、かつX2が、SEGSAE、SEGSA、SEGS、SEG、SE、S、L、または-COOHを含む、式R0-X2の化合物。
[本発明1003]
R0がSEQ ID NO:4を含み、
X1が
2013512279.tif 000004
の少なくとも15連続のアミノ酸を含み、かつ
X2が、SEGSAE、SEGSA、SEGS、SEG、SE、S、L、または-COOHを含む、
式X1-R0-X2の化合物。
[本発明1004]
PEG化されている、本発明1001、1002、1003または1004の化合物。
[本発明1005]
CD21に結合しない、本発明1001、1002、1003または1004の化合物。
[本発明1006]
IgEに対する高親和性結合部位を含む、本発明1001〜1005のいずれかの化合物。
[本発明1007]
高親和性結合部位が、SEQ ID NO:4のアミノ酸置換D1073によって形成される、本発明1001〜1006のいずれかの化合物。
[本発明1008]
本発明1001〜1007のいずれかの化合物の有効量と、薬学的に許容される担体とを含む、IgEを隔離するための組成物。
[本発明1009]
本発明1001〜1008のいずれかの化合物の有効量と、薬学的に許容される担体とを含有する薬学的組成物を対象に投与する段階を含む、アレルゲンに対する対象の免疫応答を低下させるための方法。
[本発明1010]
薬学的組成物が、アレルゲンに対する免疫応答を有するリスクを有する対象に予防的に投与される、本発明1009の方法。
[本発明1011]
薬学的組成物が、アレルゲンに対する曝露後に対象に投与される、本発明1009の方法。
[本発明1012]
ステロイド治療を施す段階をさらに含む、本発明1009の方法。
[本発明1013]
アレルギー注射を前記個体に投与する段階をさらに含む、本発明1009の方法。
[本発明1014]
アレルゲンが、食物アレルゲン、花粉、植物アレルゲン、チリダニ、動物の鱗屑、昆虫の針、真菌、胞子、カビ、ラテックス、または薬物である、本発明1009の方法。
[本発明1015]
アレルゲンに対する免疫応答を有する個体を選択する段階をさらに含む、本発明1009の方法。
[本発明1016]
本発明1001〜1008のいずれかの化合物の有効量と、薬学的に許容される担体とを含有する薬学的組成物を対象に投与する段階を含む、対象におけるIgE媒介性疾患を処置するための方法。
[本発明1017]
IgE媒介性疾患が、アレルギー、アナフィラキシー、喘息、湿疹、および鼻炎からなる群より選択される、本発明1016の方法。
[本発明1018]
本発明1001〜1008のいずれかの化合物の有効量と、薬学的に許容される担体とを含有する薬学的組成物を対象に投与する段階を含む、アレルゲンに対する慢性的な免疫応答の発生を低下させるための方法。
[本発明1019]
本発明1001〜1008のいずれかの化合物の有効量と、薬学的に許容される担体とを含有する薬学的組成物を、アレルギー治療またはアナフィラキシー治療によって処置される対象に投与する段階を含む、アレルギー治療またはアナフィラキシー治療の用量を低下させるための方法。
【誤訳訂正書】
【提出日】平成26年4月15日(2014.4.15)
【誤訳訂正１】
【訂正対象書類名】明細書
【訂正対象項目名】００６２
【訂正方法】変更
【訂正の内容】
【００６２】
図６は、亜鉛の含有量に応じた水素発生量を示すグラフである。ここで、ｘ軸は、Ｍｇ2Ｃａ中のＺｎ（ａｔ％）の含有量を示したものである。
【誤訳訂正２】
【訂正対象書類名】明細書
【訂正対象項目名】００６４
【訂正方法】変更
【訂正の内容】
【００６４】
図７は、亜鉛の含有量に応じた開回路電位（電気的ポテンシャル）を示すグラフである。ここで、亜鉛の含有量（ｘ軸）は、Ｍｇ2Ｃａ中のＺｎ（ａｔ％）の含有量を示したものである。
【手続補正書】
【提出日】平成25年11月13日(2013.11.13)
【手続補正１】
【補正対象書類名】特許請求の範囲
【補正対象項目名】請求項３
【補正方法】変更
【補正の内容】
【請求項３】
多塩基酸（ｄ）中の、酸素原子の炭素原子に対するモル割合が少なくとも１：５であることを特徴とする請求項１又は２の何れかに記載のプルトルージョン樹脂系。
【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
ハウジングを含む燃料蒸気制御弁であって、前記ハウジングは、
第１および第２の弁制御通路を介して流れ連通する入口および出口ポートを備え、
前記第１の弁制御通路は、前記入口ポートでの圧力が所定の閾値を超えるときにだけ前記入口ポートから前記出口ポートへの方向で燃料蒸気流れを受け入れるように構成され、
前記第２の弁制御通路は、前記入口ポートでの圧力が前記出口ポートでの圧力よりも下がるときにだけ前記出口ポートから前記入口ポートへの方向で蒸気流れを受け入れるように構成され、
前記燃料蒸気制御弁は、前記入口および前記出口ポートとの間の前記ハウジングの外部部分に置かれる密封構成をさらに備え、
前記密封構成が、前記構成部品との直接的な接触を介して、前記燃料蒸気制御弁と、それにとって外部の構成部品との間の密封係合のために構成される、
燃料蒸気制御弁。
【請求項２】
前記密封構成が、密封要素をさらに備える、請求項１に記載の燃料蒸気制御弁。
【請求項３】
前記密封要素がＯリングまたは前記燃料蒸気制御弁の前記ハウジングに形成される周囲溝である、請求項２に記載の燃料蒸気制御弁。
【請求項４】
前記燃料蒸気制御弁が、前記入口ポートと関連付けられる入口チャンバと、前記出口ポートと関連付けられる出口チャンバと、前記入口チャンバと前記出口チャンバとの間に置かれる制御チャンバとをさらに備え、前記ハウジングが、前記制御チャンバと関連付けられるエアリング開口で形成される、請求項１〜３のいずれか１項に記載の燃料蒸気制御弁。
【請求項５】
前記燃料蒸気制御弁が、少なくとも１つの追加の密封構成をさらに備える、請求項４に記載の燃料蒸気制御弁。
【請求項６】
前記少なくとも１つの追加の密封構成が、前記エアリング開口と前記入口ポートとの間の前記ハウジングの外部部分に置かれ、または前記エアリング開口と前記出口ポートとの間の前記ハウジングの外部部分に置かれる、請求項５に記載の燃料蒸気制御弁。
【請求項７】
前記出口ポートでの圧力が前記入口ポートでの圧力より下がるときに、前記入口ポートから前記出口ポートへの流れを妨げるように構成される、請求項１〜６のいずれか１項に記載の燃料蒸気制御弁。
【請求項８】
車両燃料系統であって、
液体燃料トラップと、燃料蒸気制御弁と、その間に置かれる密封構成と、を備え、
前記液体燃料トラップは、膨張空間で形成される本体を備え、
前記燃料蒸気制御弁は、流れ連通する入口および出口ポートを有するハウジングを備え、
前記燃料蒸気制御弁の前記入口ポートが、前記液体燃料トラップの前記膨張空間と流れ連通し、
前記密封構成は、前記燃料蒸気制御弁のハウジングの外部部分、およびその前記入口と前記出口ポートとの間に置かれ、
前記密封構成が前記液体燃料トラップの本体と前記燃料蒸気制御弁のハウジングとの間に置かれる領域を通る流れ連通を妨げるように構成される、車両燃料系統。
【請求項９】
前記密封構成が、前記液体燃料トラップの進入ポートと退出ポートとの間、および前記燃料蒸気制御弁の前記ハウジングにとって外部に置かれる領域を通る流れ連通を妨げるように構成される、請求項８に記載の車両燃料系統。
【請求項１０】
前記密封構成が、前記液体燃料トラップの前記本体の対向する表面、および前記燃料蒸気制御弁の前記ハウジングの係合による密封係合のために構成される、請求項８または９に記載の車両燃料系統。
【請求項１１】
前記密封構成が、密封要素をさらに備える、請求項８〜１０のいずれか１項に記載の車両燃料系統。
【請求項１２】
前記燃料蒸気制御弁がエアリングポートをさらに備え、前記液体燃料トラップが追加ポートをさらに備え、
前記車両燃料系統が、前記弁の前記ハウジングにとって外部領域を通る、および前記液体燃料トラップの前記追加ポートと退出ポートとの間の流れ連通を妨げるように構成され、または前記燃料蒸気制御弁の前記ハウジングにとって外部の経路に沿って、前記燃料蒸気制御弁の前記エアリングポートと出口ポートとの間の流れ連通を妨げるように構成される少なくとも１つの追加的な密封構成をさらに備える、請求項８〜１１のいずれか１項に記載の車両燃料系統。
【請求項１３】
前記車両燃料系統が、前記液体燃料トラップの退出ポートと流れ連通するアクセスポートを備える燃料蒸気回収装置をさらに備え、前記液体燃料トラップの前記出口ポートおよび前記燃料蒸気回収装置の前記アクセスポートが一体化して連結される、請求項８〜１２のいずれか１項に記載の車両燃料システム。
【請求項１４】
前記車両燃料系統が、前記液体燃料トラップの退出ポートと流れ連通するアクセスポートと、導管を介して前記液体燃料トラップの前記出口ポートおよび前記燃料蒸気回収装置の前記アクセスポートが接続される導管とを備える燃料蒸気回収装置をさらに備える、請求項８〜１３のいずれか１項に記載の車両燃料システム。
【請求項１５】
前記液体燃料トラップの前記本体が、前記燃料蒸気制御弁の外部断面形状に一致する内部断面形状を有する部分で形成され、それによって前記燃料蒸気制御弁を気密で前記液体燃料トラップの前記部分の内部に取り付けることを可能にする、請求項８〜１４のいずれか１項に記載の車両燃料系統。
【請求項１６】
膨張空間で形成される液体燃料トラップ、および弁を備える車両燃料系統であって、
前記弁が、ハウジング内の少なくとも１つの内部通路を介して流れ連通する入口ポートおよび出口ポートで形成される前記ハウジングを備え、前記弁の前記入口ポートが前記液体燃料トラップの前記膨張空間と流れ連通し、
前記弁は、前記弁にとって外部となる経路に沿って前記弁の前記入口ポートと前記出口ポートとの間の流れ連通を妨げる気密で、前記液体燃料トラップ内部に取り付けられる、車両燃料系統。
【請求項１７】
前記液体燃料トラップが、前記弁の外部断面形状に一致する内部断面形状を有する部分でさらに形成され、それによって前記弁を気密で前記液体燃料トラップの前記部分の内部に取り付けることを容易にする、請求項１６に記載の車両燃料系統。
【請求項１８】
前記弁に放射状に伸びる要素がない、請求項１６または１７に記載の車両燃料系統。
【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
転動体を有する軸受を支持構造に装着する軸受マウントアセンブリであって、前記軸受は回転要素を回転自在に支持し、前記回転要素は回転軸を有するものであり、
上記軸受マウントアセンブリは軸受マウントを有し、この軸受マウントは、
少なくとも１つの側面を有する少なくとも１つの力伝達要素と、
前記少なくとも１つの側面と接触するように構成されている少なくとも１つの剪断力吸収要素と
を有し
径方向の力または軸外モーメント（ｏｆｆ−ａｘｉｓ  ｍｏｍｅｎｔ）が前記軸受マウントアセンブリに加えられ、前記軸受マウントが第１の位置から第２の位置、すなわち、前記少なくとも１つの側面と位置合わせされる方向に変位されると、前記少なくとも１つの力伝達要素は前記径方向の力または前記軸外モーメントの剪断力成分を前記少なくとも１つの前記剪断力吸収要素に伝達し、前記少なくとも１つの剪断力吸収要素は前記径方向の力または前記軸外モーメントの前記剪断力成分を吸収して前記軸受マウントを前記第１の位置に復元させるように作用するものであり、
前記少なくとも１つの力伝達要素は突出フランジを有し、前記少なくとも１つの剪断力吸収要素は当該突出フランジと前記支持構造との間に装着されているものである
軸受マウントアセンブリ。
【請求項２】
請求項１記載の軸受マウントアセンブリにおいて、前記突出フランジは、径方向に突出したフランジである軸受マウントアセンブリ。
【請求項３】
請求項１記載の軸受マウントアセンブリにおいて、前記突出フランジは、球形状の突出フランジであり、当該球形状の突出フランジは、前記径方向の力または前記軸外モーメントを単一方向または多方向において吸収するように構成されているものである軸受マウントアセンブリ。
【請求項４】
請求項１記載の軸受マウントアセンブリにおいて、前記突出フランジは、円錐形状の突出フランジであり、当該円錐形状の突出フランジは、前記径方向の力または前記軸外モーメントを単一方向または多方向において吸収するように構成されているものである軸受マウントアセンブリ。
【請求項５】
請求項１〜４のいずれかの１つに記載の軸受マウントアセンブリにおいて、前記少なくとも１つの剪断力吸収要素は、一連の同心円状リングで構成されているものである軸受マウントアセンブリ。
【請求項６】
請求項１〜４いずれかの１つに記載の軸受マウントアセンブリにおいて、前記少なくとも１つの剪断力吸収要素は、一連の弧状要素で構成されているものである軸受マウントアセンブリ。
【請求項７】
請求項１〜４のいずれかの１つに記載の軸受マウントアセンブリにおいて、前記少なくとも１つの剪断力吸収要素は、一連の台形状要素で構成されているものである軸受マウントアセンブリ。
【請求項８】
請求項１〜７のいずれか１つに記載の軸受マウントアセンブリにおいて、前記少なくとも１つの剪断力吸収要素は、エラストマー材料から製造されているものであり、当該エラストマー材料には金属片が含浸され、それにより前記エラストマー材料の熱伝導性が向上するものである軸受マウントアセンブリ。
【請求項９】
請求項１〜８のいずれか１つに記載の軸受マウントアセンブリにおいて、さらに、
前記軸受マウントアセンブリは磁気スラストリングを有し、前記磁気スラストリングは前記回転要素に付勢力を加え、前記付勢力は、前記軸受に対して前記回転要素を軸方向に変位させるように作用する力に抗して作用するものである軸受マウントアセンブリ。
【請求項１０】
請求項１〜９のいずれか１つに記載の軸受マウントアセンブリにおいて、前記少なくとも１つの側面は、前記支持構造内の受容スロット内に延長するものである軸受マウントアセンブリ。
【手続補正２】
【補正対象書類名】明細書
【補正対象項目名】００１０
【補正方法】変更
【補正の内容】
【００１０】
従って、高性能回転機械用に特別に設計された、軸方向および径方向における高荷重を支え、機械のケーシングに対する動的衝撃を吸収し、高機能の制御システムを必要としない、放熱を可能とする低熱抵抗を有する、若しくは高公差の嵌合を可能にする材料から構成されている、軸受マウントが必要である。
この出願の発明に関連する先行技術文献情報としては、以下のものがある（国際出願日以降国際段階で引用された文献及び他国に国内移行した際に引用された文献を含む）。
（先行技術文献）
（特許文献）
【特許文献１】  欧州特許出願公開第１６４５７６０号明細書
【特許文献２】  米国特許第２４１４３３５号明細書
【特許文献３】  米国特許第３３８９９４０号明細書
【特許文献４】  米国特許第５２０５３８４号明細書
【特許文献５】  米国特許第３３６５０３２号明細書
【発明の概要】
【課題を解決するための手段】
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
以下からなる群より選択されるアミノ酸配列を含む、細胞傷害性Ｔリンパ球（ＣＴＬ）誘導能を有する１５アミノ酸未満の単離されたオリゴペプチド：
（ａ）ＳＥＱ  ＩＤ  ＮＯ：３、２および４からなる群より選択されるアミノ酸配列；ならびに
（ｂ）１個、２個、または数個のアミノ酸が挿入、置換、欠失、または付加されている、ＳＥＱ  ＩＤ  ＮＯ：３、２および４からなる群より選択されるアミノ酸配列。
【請求項２】
以下の特徴の一方または両方を有する、請求項１記載のオリゴペプチド：
（ａ）ＳＥＱ  ＩＤ  ＮＯ：３、２および４からなる群より選択されるアミノ酸配列のＮ末端から２番目のアミノ酸が、ロイシンおよびメチオニンより選択される；ならびに
（ｂ）ＳＥＱ  ＩＤ  ＮＯ：３、２および４からなる群より選択されるアミノ酸配列のＣ末端アミノ酸が、バリンおよびロイシンより選択される。
【請求項３】
ノナペプチドまたはデカペプチドである、請求項１または２記載の単離されたオリゴペプチド。
【請求項４】
ＳＥＱ  ＩＤ  ＮＯ：３、２および４からなる群より選択されるアミノ酸配列のみからなる、請求項１〜３のいずれか一項記載の単離されたオリゴペプチド。
【請求項５】
請求項１〜４のいずれか一項記載のオリゴペプチドをコードする単離されたポリヌクレオチド。
【請求項６】
ＣＴＬを誘導するための剤または組成物であって、請求項１〜４のいずれか一項記載のオリゴペプチドの１種もしくは複数種、または請求項５記載のポリヌクレオチドの１種もしくは複数種、または請求項１〜４のいずれか一項記載のペプチドとＨＬＡ抗原との複合体を自身の表面に提示するＡＰＣまたはエキソソームの１種もしくは複数種を含む、剤または組成物。
【請求項７】
がんの治療および／もしくは予防、ならびに／または術後のその再発の予防のための薬剤であって、請求項１〜４のいずれか一項記載のオリゴペプチドの１種もしくは複数種、または請求項５記載のポリヌクレオチドの１種もしくは複数種を含む、薬剤。
【請求項８】
ＨＬＡ抗原がＨＬＡ−Ａ２である対象に投与するために製剤化される、請求項７記載の薬剤。
【請求項９】
がんを治療するために製剤化される、請求項７または８記載の薬剤。
【請求項１０】
以下の段階のうちの１つを含む、ＣＴＬ誘導能を有する抗原提示細胞（ＡＰＣ）をインビトロで誘導するための方法：
（ａ）ＡＰＣと請求項１〜４のいずれか一項記載のオリゴペプチドとを、インビトロで接触させる段階；または
（ｂ）請求項１〜４のいずれか一項記載のオリゴペプチドをコードするポリヌクレオチドをＡＰＣに導入する段階。
【請求項１１】
以下の段階のうちの少なくとも１つを含む方法のいずれかによって、ＣＴＬをインビトロで誘導するための方法：
（ａ）ＣＤ８陽性Ｔ細胞を、ＨＬＡ抗原と請求項１〜４のいずれか一項記載のオリゴペプチドとの複合体を自身の表面に提示するＡＰＣと共培養する段階；
（ｂ）ＣＤ８陽性Ｔ細胞を、ＨＬＡ抗原と請求項１〜４のいずれか一項記載のオリゴペプチドとの複合体を自身の表面に提示するエキソソームと共培養する段階；および
（ｃ）請求項１〜４のいずれか一項記載のオリゴペプチドに結合するＴ細胞受容体（ＴＣＲ）サブユニットポリペプチドをコードするポリヌクレオチドを含む遺伝子をＴ細胞に導入する段階。
【請求項１２】
ＨＬＡ抗原と請求項１〜４のいずれか一項記載のオリゴペプチドとの複合体を自身の表面に提示する、単離されたＡＰＣ。
【請求項１３】
請求項１０記載の方法によって誘導される、請求項１２記載のＡＰＣ。
【請求項１４】
請求項１〜４のいずれか一項記載のペプチドを標的とする、単離されたＣＴＬ。
【請求項１５】
請求項１１記載の方法によって誘導される、請求項１４記載のＣＴＬ。
【請求項１６】
対象においてがんに対する免疫応答を誘導するための剤または組成物であって、請求項１〜４のいずれか一項記載のオリゴペプチド、免疫学的に活性なその断片、または該オリゴペプチドもしくは免疫学的に活性な断片をコードするポリヌクレオチドを含む、剤または組成物。
【請求項１７】
ＡＰＣを誘導するための剤または組成物であって、請求項１〜４のいずれか一項記載のオリゴペプチドの１種もしくは複数種、または請求項５記載のポリヌクレオチドの１種もしくは複数種を含む、剤または組成物。
【手続補正書】
【提出日】平成25年11月21日(2013.11.21)
【手続補正１】
【補正対象書類名】特許請求の範囲
【補正対象項目名】全文
【補正方法】変更
【補正の内容】
【特許請求の範囲】
【請求項１】
以下の手順工程を含む、ポリ（Ａ）ＲＮＡ及び／又はｍＲＮＡを特異的に検出及び／又は定量するための方法：
ｉ) ポリ（Ａ）ＲＮＡを含有する試料及び／又はｍＲＮＡを含有する試料を、蛍光色素及び消光剤を含むポリ（ｄＴ）オリゴヌクレオチドと接触させる工程であって、上記消光剤は、上記蛍光色素の発光波長においてポリ（ｄＴ）オリゴヌクレオチドにおける蛍光をハイブリダイズ状態及び非ハイブリダイズ状態の両者において完全に消光する消光剤である、上記工程；
ii) 蛍光シグナルが変化しない状態で、上記ポリ（ｄＴ）オリゴヌクレオチドをポリ（Ａ）ＲＮＡ及び／又はｍＲＮＡにハイブリダイズさせる工程；
iii) 工程ii)で得られたハイブリダイゼーション混合物を、一本鎖特異的ヌクレアーゼと接触させる工程であって、蛍光標識されたヌクレオチドが、ポリ（Ａ）ＲＮＡ及び／又はｍＲＮＡとハイブリダイズしていないポリ（ｄＴ）オリゴヌクレオチドから放出され、その結果、蛍光シグナルの増加が生じる、上記工程；
iv) 生じた蛍光シグナルを測定する工程。
【請求項２】
上記ポリ（ｄＴ）オリゴヌクレオチドが(ｄＴ)ヌクレオチドのみで構成されることを特徴とする、請求項１に記載の方法。
【請求項３】
上記ポリ（ｄＴ）オリゴヌクレオチドが、異なる種類の ポリ（ｄＴ）含有オリゴヌクレオチドの混合物であって、それら異なる種類のポリ（ｄＴ）含有オリゴヌクレオチドは、それらの３'末端に、(ｄＴ)ヌクレオチドではない少なくとも１つのさらなるヌクレオチドを有することを特徴とする、請求項１に記載の方法。
【請求項４】
上記ポリ（ｄＴ）オリゴヌクレオチドが、１０個から１００個のヌクレオチド範囲の長さを有することを特徴とする、請求項１から３の何れか１項に記載の方法。
【請求項５】
上記ポリ（ｄＴ）オリゴヌクレオチドが、１８個から２５個のヌクレオチド範囲の長さを有することを特徴とする、請求項４に記載の方法。
【請求項６】
上記ポリ（ｄＴ）オリゴヌクレオチドにおける蛍光色素と消光剤との間の距離が、最大で３０ヌクレオチドであることを特徴とする、請求項１から４の何れか１項に記載の方法。
【請求項７】
上記ポリ（ｄＴ）オリゴヌクレオチドにおける蛍光色素及び消光剤が、当該オリゴヌクレオチドの各反対側の末端に結合していることを特徴とする、請求項１から６の何れか１項に記載の方法。
【請求項８】
上記蛍光色素が、６−ＦＡＭ、６−ＪＯＥ、アレクサ・フロー(Alexa Fluor)５６８、アレクサ・フロー(Alexa Fluor)６３３、アレクサ・フロー(Alexa Fluor)６８０、ボディピィ(Bodipy)、ＣＡＬフロー(CAL Fluor)、ＣＡＬフロー・レッド(CAL Fluor Red)６１０、ＴＡＭＲＡ、ＨＥＸ、オレゴン・グリーン(Oregon Green)、ＴＥＴ、テキサス・レッド(Texas Red)、マリーナ・ブルー(Marina Blue)、エダンズ・ボセル・ブルー(Edans Bothell Blue)、フルオレセイン、ヤキマ・イエロー(Yakima Yellow)、グロッド(Glod)５４０、Ｃｙ３．５及びＣｙ５を含む群から選択されることを特徴とする、請求項１から７の何れか１項に記載の方法。
【請求項９】
上記消光剤が、ＤＡＢＣＹＬ、ＢＨＱ１、ＢＨＱ２及びＴＡＭＲＡを含む群から選択されることを特徴とする、請求項１から７の何れか１項に記載の方法。
【請求項１０】
上記一本鎖特異的ヌクレアーゼがエキソヌクレアーゼであることを特徴とする、請求項１に記載の方法。
【請求項１１】
上記一本鎖特異的ヌクレアーゼが、エキソヌクレアーゼI、エキソヌクレアーゼＴ及びＲｅｃＪを含む群から選択されるか、又はこれらヌクレアーゼの混合物であることを特徴とする、請求項１０に記載の方法。
【請求項１２】
上記一本鎖特異的エキソヌクレアーゼが、エキソヌクレアーゼI若しくはエキソヌクレアーゼＴであるか、又はこれらエキソヌクレアーゼの混合物であることを特徴とする、請求項１１に記載の方法。
【請求項１３】
上記一本鎖特異的ヌクレアーゼが、エンドヌクレアーゼであることを特徴とする、請求項１に記載の方法。
【請求項１４】
上記一本鎖特異的エンドヌクレアーゼが、Ｓ１ヌクレアーゼ若しくはマング・ビーン・ヌクレアーゼ(mung bean nuclease)、又はこれらエンドヌクレアーゼの混合物であることを特徴とする、請求項１３に記載の方法。
【手続補正書】
【提出日】平成25年11月27日(2013.11.27)
【手続補正１】
【補正対象書類名】特許請求の範囲
【補正対象項目名】請求項１２
【補正方法】変更
【補正の内容】
【請求項１２】
前記第２のユニットは復号化器を有し、
前記復号化器は、
ａ）ｊは１からｎの値をもち、前記相互接続ユニットにより提供され、同時に送信される複数の第１のメッセージに対応した最初のｐ個の合計Ｓjが全て“０”に等しいかどうかを判断する手段と、
ｂ）前記最初のｐ個の合計Ｓjが全て等しく、かつ、ゼロ（０）ではないかどうかを判断する手段と、
ｃ）前記最初のｐ個の合計Ｓjが全て“０”に等しいなら、前記第１のメッセージの複数のビットｂiは全て“０”に等しいと規定する手段と、
ｄ）前記最初のｐ個の合計Ｓjが全て等しく、かつ、ゼロ（０）ではないなら、前記第１のメッセージの複数のビットｂiは全て“１”に等しいと規定する手段と、
そして、前記最初のｐ個の合計Ｓjが全て同じ値をもたないなら、
ｅ）合計Ｓiがおそらくは前記最初のｐ個の合計Ｓjによりとられたであろう２つの値の内の大きい方の値に等しいなら、ランクｉのメッセージのビットｂiは“０”に等しいと規定し、合計Ｓiがおそらくは前記最初のｐ個の合計Ｓjによりとられたであろう２つの値の内の小さい方の値に等しいなら、ランクｉのビットｂiは“１”に等しいと規定する手段と、
を有することを特徴とする請求項１０又は１１に記載の集積回路。
【手続補正２】
【補正対象書類名】特許請求の範囲
【補正対象項目名】請求項１４
【補正方法】変更
【補正の内容】
【請求項１４】
前記第１のユニットへの前記複数のベクトルの割当てを時間により変更することと、前記第１のユニットへ前記複数のベクトルを割当てることとの内、少なくともいずれかを実行可能なコントローラ（１００）を有することを特徴とする請求項９乃至１３のいずれか１項に記載の集積回路。
【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
応答細胞集団を増殖させる方法であって、
気体透過性装置内において刺激細胞の存在下で応答細胞集団の増殖を開始する工程を含み、
前記装置は、培地と、気体透過材料を含む増殖表面に静置された前記応答細胞集団と前記刺激細胞とを含み、
前記応答細胞対前記刺激細胞の比は４：１未満である、方法。
【請求項２】
増殖表面積に対する前記培地の比が１ｍｌ／ｃｍ２を超えている、請求項１に記載の方法。
【請求項３】
増殖表面積に対する前記培地の比が２ｍｌ／ｃｍ２を超えている、請求項２に記載の方法。
【請求項４】
最低位置から最高位置まで測定された前記培地の高さは少なくとも１．０ｃｍである、請求項１に記載の方法。
【請求項５】
最低位置から最高位置まで測定された前記培地の高さは２．０ｃｍ以上である、請求項４に記載の方法。
【請求項６】
前記培地中の応答細胞および刺激細胞の混合集団は、前記増殖表面の面積１ｃｍ２あたり５００，０００細胞未満の密度である、請求項４に記載の方法。
【請求項７】
前記培地中の応答細胞および刺激細胞の混合集団は、前記培地の１ｍｌあたり５００，０００細胞未満の密度である、請求項４に記載の方法。
【請求項８】
前記応答細胞対前記刺激細胞の比は少なくとも１：５である、請求項１に記載の方法。
【請求項９】
前記気体透過材料はシリコーンを含む、請求項１に記載の方法。
【請求項１０】
前記刺激細胞はフィーダ細胞である、請求項１に記載の方法。
【請求項１１】
前記フィーダ細胞は、照射されている、請求項１０に記載の方法。
【請求項１２】
前記刺激細胞は、抗原提示細胞である、請求項１に記載の方法。
【請求項１３】
前記刺激細胞は、フィーダ細胞および抗原提示細胞を含む、請求項１に記載の方法。
【請求項１４】
前記応答細胞は、前記増殖表面の面積１ｃｍ２あたり７×１０６細胞を超える細胞表面密度にまで増殖する、請求項１に記載の方法。
【請求項１５】
前記応答細胞は、抗原特異的Ｔ細胞である、請求項１に記載の方法。
【請求項１６】
前記応答細胞は、腫瘍浸潤リンパ球である、請求項１に記載の方法。
【請求項１７】
前記応答細胞は、ナチュラルキラー細胞である、請求項１に記載の方法。
【請求項１８】
前記応答細胞は、制御性Ｔ細胞である、請求項１に記載の方法。
【請求項１９】
前記応答細胞は、初代Ｔリンパ球である、請求項１に記載の方法。
【誤訳訂正書】
【提出日】平成26年9月2日(2014.9.2)
【誤訳訂正１】
【訂正対象書類名】特許請求の範囲
【訂正対象項目名】請求項１１
【訂正方法】変更
【訂正の内容】
【請求項１１】
前記スポーク（４）は、前記ハブに連結されたフラスコ（５、６）に固定され、かつ、ハブの傍で、前記ハブの軸に垂直な方向に、前記車輪の半径方向に配向されている、請求項１〜１０のいずれか１項に記載の車輪。
【誤訳訂正２】
【訂正対象書類名】明細書
【訂正対象項目名】００２５
【訂正方法】変更
【訂正の内容】
【００２５】
上記の発明に従いつつ、前記スポークは、前記ハブに連結されたフラスコに固定され、かつ、ハブの傍で、前記ハブの軸に垂直な方向に、前記車輪の半径方向に配向されている。
【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
（Ａ）バッチ材料を調製する工程であって、
（１）少なくとも１種類のアルミナ源、少なくとも１種類のチタニア源、少なくとも１種類のシリカ源、少なくとも１種類のストロンチウム源、少なくとも１種類の水和アルミナ源、および少なくとも１種類のカルシウム源に由来する粒子を含む無機材料であって、
前記少なくとも１種類のアルミナ源のメジアン粒径が９．０μｍ〜１１．０μｍの範囲である、無機材料と、
（２）少なくとも１種類のグラファイトおよび少なくとも１種類のデンプンに由来する粒子を含む細孔形成材料であって、
前記細孔形成材料が、上乗せ添加として、前記バッチ材料の２０重量％未満からなり、
前記バッチ材料の少なくとも１つが、
（ａ）１１μｍ〜１５μｍの範囲のメジアン粒径を有する少なくとも１種類のストロンチウム源の粒子；
（ｂ）１０μｍ〜１４μｍの範囲のメジアン粒径を有する少なくとも１種類の水和アルミナ源の粒子；
（ｃ）４．５μｍ〜１０μｍの範囲のメジアン粒径を有する少なくとも１種類のカルシウム源の粒子；および
（ｄ）４０μｍ〜１１０μｍの範囲のメジアン粒径を有する少なくとも１種類のグラファイトの粒子；
から選択されることを特徴とする、細孔形成材料と、
を含むバッチ材料を調製する工程と、
（Ｂ）前記バッチ材料から未焼成体を形成する工程と、
（Ｃ）前記未焼成体を焼成してチタン酸アルミニウム含有セラミック体を得る工程と、
を含む、チタン酸アルミニウム含有セラミック体の製造方法。
【請求項２】
前記チタン酸アルミニウム含有セラミック体が１３μｍ〜１５μｍの範囲のメジアン細孔径を有することを特徴とする請求項１記載のチタン酸アルミニウム含有セラミック体の製造方法。
【請求項３】
前記チタン酸アルミニウム含有セラミック体が、４８〜５２％の範囲の細孔率を有することを特徴とする請求項１または２記載のチタン酸アルミニウム含有セラミック体の製造方法。
【請求項４】
チタン酸アルミニウム含有セラミック体が２２０を超える破壊係数（ＭＯＲ）を有することを特徴とする請求項１〜３いずれか１項記載のチタン酸アルミニウム含有セラミック体の製造方法。
【請求項５】
前記チタン酸アルミニウム含有セラミック体が、８００℃において６未満の熱膨張率（ＣＴＥ）を有することを特徴とする請求項１〜４いずれか１項記載のチタン酸アルミニウム含有セラミック体の製造方法。
【請求項６】
前記バッチ材料が酸化ランタンをさらに含むことを特徴とする請求項１〜５いずれか１項記載のチタン酸アルミニウム含有セラミック体の製造方法。
【誤訳訂正書】
【提出日】平成26年9月3日(2014.9.3)
【誤訳訂正１】
【訂正対象書類名】特許請求の範囲
【訂正対象項目名】全文
【訂正方法】変更
【訂正の内容】
【特許請求の範囲】
【請求項１】
高炉スラグ、スラグ砂、粉砕高炉スラグ、電熱式燐スラグ又は鉄鋼スラグから選択される潜在水硬性バインダーの少なくとも１つを、１０〜３０質量部、
沈降シリカ、熱分解法シリカ、マイクロシリカ又はガラス粉末から選択される非晶質シリカの少なくとも１つを、５〜２２質量部、
渇炭フライアッシュ、石炭フライアッシュ、メタカオリン、火山灰、凝灰岩、火山土、ポゾラン又はゼオライトから選択される反応性充填剤の少なくとも１つを、０〜１５質量部、並びに
実験式ｍＳｉＯ２・ｎＭ２Ｏを有する化合物から選択され、その際、ＭはＬｉ、Ｎａ、Ｋ又はＮＨ４であり、ｍ：ｎのモル比の値は、３．６以下であるケイ酸塩の少なくとも１つを、３〜２０質量部
を有する無機バインダー系であって、
１２〜２５質量％のＣａＯを含み、
硬化のために、１０〜５０質量部の水を必要とし、かつ
潜在水硬性バインダー、非晶質シリカ及び任意の反応性充填剤は、第１の成分として存在し、ケイ酸塩は、少なくとも、硬化のために必要とされる水の量と一緒に、第２の成分として存在していることを特徴とする、前記無機バインダー系。
【請求項２】
１５〜２５質量部の潜在水硬性バインダー、
５〜１７質量部の非晶質シリカ、
０〜１０質量部の反応性充填剤、及び
４〜１５質量部のケイ酸塩を有する、請求項１記載のバインダー系。
【請求項３】
以下の酸化物組成：
３０〜７０質量％のＳｉＯ２、
２〜３０質量％のＡｌ２Ｏ３、
１２〜２５質量％のＣａＯ、及び
５〜３０質量％のＭ２Ｏ
によって特徴づけられる、請求項１または２記載のバインダー系。
【請求項４】
以下の酸化物組成：
４５〜６０質量％のＳｉＯ２、
５〜１５質量％のＡｌ２Ｏ３、
１２〜２５質量％のＣａＯ、及び
５〜２０質量％のＭ２Ｏ
によって特徴づけられる、請求項１〜３のいずれか１項に記載のバインダー系。
【請求項５】
ｍ：ｎのモル比の値は、１．７以下であることを特徴とする、請求項１〜４のいずれか１項に記載のバインダー系。
【請求項６】
不活性充填剤及び／又はさらなる添加剤が任意で存在する、請求項１〜５のいずれか１項に記載のバインダー系。
【請求項７】
２０質量％以下のセメントが存在する、請求項１〜６のいずれか１項に記載のバインダー系。
【請求項８】
ＭはＮａ又はＫであることを特徴とする、請求項１〜７のいずれか１項に記載のバインダー系。
【請求項９】
ｍ：ｎのモル比の値は３．０以下であることを特徴とする、請求項１〜８のいずれか１項記載のバインダー系。
【請求項１０】
ｍ：ｎのモル比の値は２．０以下であることを特徴とする、請求項１〜８のいずれか１項記載のバインダー系。
【請求項１１】
ｍ：ｎのモル比の値は１．２０以下であることを特徴とする、請求項１〜８のいずれか１項記載のバインダー系。
【請求項１２】
硬化のために、２０〜４０質量部の水を必要とすることを特徴とする、請求項１〜１１のいずれか１項に記載のバインダー系。
【請求項１３】
請求項１〜１２のいずれか１項に定義されたバインダー系を含有するモルタル、かた練りモルタル又は継目グラウト。
【請求項１４】
凝結、７日間の硬化に続く、酸、塩基及び／又は水中における３日間の貯蔵後、ＤＩＮ  ＥＮ  １３８８８に従って測定された、１５Ｎｍｍ−２を上回る圧縮強度を有することを特徴とする、請求項１３記載のモルタル。
【誤訳訂正２】
【訂正対象書類名】明細書
【訂正対象項目名】００１４
【訂正方法】変更
【訂正の内容】
【００１４】
本発明の無機バインダー系は、好ましくは、１０〜３０質量部の潜在水硬性バインダー、５〜２２質量部の非晶質シリカ、０〜１５質量部の反応性充填剤及び３〜２０質量部のアルカリ金属ケイ酸塩を有する。
【誤訳訂正３】
【訂正対象書類名】明細書
【訂正対象項目名】００１５
【訂正方法】変更
【訂正の内容】
【００１５】
より好ましくは、本発明の無機バインダー系は、１０〜３０質量部の潜在水硬性バインダー、５〜２０質量部の非晶質シリカ、０〜１５質量部の反応性充填剤及び３〜２０質量部のアルカリ金属ケイ酸塩を有する。
【誤訳訂正４】
【訂正対象書類名】明細書
【訂正対象項目名】００１６
【訂正方法】変更
【訂正の内容】
【００１６】
特に好ましくは、本発明の無機バインダー系は、１５〜２５質量部の潜在水硬性バインダー、５〜１７質量部の非晶質シリカ、０〜１０質量部の反応性充填剤及び４〜１５質量部のアルカリ金属ケイ酸塩を有する。
【誤訳訂正５】
【訂正対象書類名】明細書
【訂正対象項目名】００２７
【訂正方法】変更
【訂正の内容】
【００２７】
硬化のために必要な水の量は、（無水）無機バインダー系の全質量に対して、好適には、１０〜５０質量部、好ましくは２０〜４０質量部である。すなわち、硬化のために必要な水の量は、無機バインダー系の構成成分としてみなされない。